(57)【特許請求の範囲】
【請求項１】
横方向に対向配置され、少なくとも一方がスライド移動可能とされた一対のスクリーン取付け枠部間に、スクリーンが収縮及び展開自在とされて配設され、スクリーンの横引きの開閉が可能とされ、スクリーン取付け枠部のスライド移動をその上端部においてガイドする上レールを備えるとともに、上レール内部のスクリーン上端縁部以上の位置に横架材を備えたスクリーン装置において、上レールの下端部内側に向かって張り出し、横架材の一側部を支持可能とした支持部を有する片持ち梁が、スクリーン取付け枠部のスライド位置を挟んで上レールの両側部に配設され、この片持ち梁は、スクリーン取付け枠部のスライド移動により押しのけられることを特徴とするスクリーン装置。
【請求項２】
片持ち梁は、曲げ及びねじりに対して弾性回復性を有し、スクリーン取付け枠部のスライド移動にともない、曲げられ、ねじられ、スクリーンが開けられた状態においては初期状態に復帰する請求項１記載のスクリーン装置。
【請求項３】
片持ち梁は、さらに、スクリーン取付け枠部がスライド移動する際のねじりを受けてねじられる起立部を有し、この起立部の下端に支持部が配設一体化されている請求項２記載のスクリーン装置。
【請求項４】
片持ち梁は、支持部の張出し端部と反対側の位置に固定用の突起を有し、上レールの両側部に、その突起が収まり、片持ち梁を固定可能とする溝部が、上レールの長さ方向に形成されている請求項１乃至３いずれかに記載のスクリーン装置。
【請求項５】
片持ち梁が有する固定用の突起は、上レールに形成された溝部にその長手方向の端部より差込み可能とされ、かつスライド可能とされている請求項４記載のスクリーン装置。
【請求項６】
複数の片持ち梁が、棒状とされた固定用の突起において所定間隔隔てて横方向に連結一体化されている請求項５記載のスクリーン装置。
【請求項７】
片持ち梁は、固定用の突起の下部に座部を有する請求項４乃至６いずれかに記載のスクリーン装置。
【請求項８】
片持ち梁は、板状の支持部及び起立部を有し、起立部において上レール両側部の外側面に配設固定され、支持部は、起立部の下端に配設一体化され、上レールの下端部内側に向かって張り出し、スクリーン取付け枠部のスライド移動により上レールの外側に向かって押しのけられる請求項１記載のスクリーン装置。
【請求項９】
起立部の内側面上部に棒状の固定用の突起が設けられ、上レール両側部の外側面に、その突起が収まり、片持ち梁を固定可能とする溝部が、上レールの長さ方向に形成されている請求項８記載のスクリーン装置。
【請求項１０】
片持ち梁が有する固定用の突起は、上レールに形成された溝部にその長手方向の端部より差込み可能とされ、かつスライド可能とされている請求項９記載のスクリーン装置。
【請求項１１】
複数の片持ち梁が、起立部上部において横方向に連設一体化され、固定用の突起が横長の連続体とされている請求項９又は１０記載のスクリーン装置。
【請求項１２】
起立部の内側面上部に粘着材が配設され、片持ち梁が、上レールの両側部外側面に貼着により配設固定される請求項８記載のスクリーン装置。
【発明の詳細な説明】
【０００１】
【発明の属する技術分野】
この出願の発明は、スクリーン装置に関するものである。さらに詳しくは、この出願の発明は、スクリーンの上端縁部以上の位置に配設された横架材が、撓んだり、変形したりなどして直線性を保持できず、スクリーンのスムーズな開閉操作を阻害するのを防止することができ、また、風が吹いたときなどの正圧又は負圧により横架材が所定位置から位置ずれ、落下するなどを防止することもできるスクリーン装置に関するものである。
【０００２】
【従来の技術】
カーテン、ブラインドなどの遮光及び調光手段や、間仕切り、網戸などに使用可能な装置として、この出願の発明の出願人より、各種のスクリーン装置が提案、提供されている。
【０００３】
たとえば図２１に示したスクリーン装置（たとえば、特開平５−179875など）では、横方向に対向配置され、少なくとも一方がスライド移動可能とされた一対のスクリーン取付け枠部（１）（１）間に、スクリーン（２）が、プリーツ加工などにより収縮及び展開自在とされて配設され、スクリーン取付け枠部（１）のスライド移動により、スクリーン（２）の横引きの開閉が可能とされている。
【０００４】
このスクリーン装置には、スクリーン取付け枠部（１）のスライド移動をガイドする部材として、スクリーン取付け枠部（１）の上端部に上レール（３）を備えることができる。このように、上レール（３）を備える場合には、上レール（３）の内部にシーリングパネル（４）を設け、スクリーン（２）の上端縁部に自重により当接させて密閉性の向上を図ることができる。この密閉性の点は、スクリーン装置を網戸として使用する場合に特にその重要性が顕在化される。
【０００５】
また、図２２に示したスクリーン装置（たとえば、特開平９−88456など）には、スクリーン（２）を収縮及び展開自在に配設し、スクリーン（２）の横引きの開閉を可能とする、少なくとも一方がスライド移動可能とされた一対のスクリーン取付け枠部（１）（１）に加え、スクリーン（２）の上端縁部の上方及び下方に、屈曲性とともに弾性を有するスライドガイド枠部（５）が設けられている。このスライドガイド枠部（５）は、一端部がいずれか一方のスクリーン取付け枠部（１）に固定され、他端部が他方のスクリーン取付け枠部（１）の内部へ屈曲して出入り自在とされている。
【０００６】
この図２２に示したスクリーン装置には、図２１に示したスクリーン装置と同様に、スクリーン取付け枠部（１）の上端部に上レール（３）を設けることができ、スクリーン取付け枠部（１）の安定したスライド移動を実現し、スクリーン（２）の開閉をスムーズにすることができる。
【０００７】
さらに、図２３及び図２４に示したスクリーン装置（たとえば、特開2000−145314など）では、図２２に示したスクリーン装置におけるスライドガイド枠部（５）をスクリーン（２）の上方又は下方のいずれか一方の配設とするとともに、このスライドガイド枠部（５）を、屈曲性及び弾性を有するものから、剛性ユニット（６）が連設されて形成されたものに替えている。
【０００８】
剛性ユニット（６）は、たとえば図２４に示したように、対向配置された一対の側壁部（６ａ）とこれを繋ぐ架橋部（６ｂ）とを備えることができる。側壁部（６ａ）には、図２３に示したように、その一端部に外側に突出する突起（７）を、他端部にこの突起（７）が係合可能な貫通穴（８）を備えることができ、隣り合う剛性ユニット（６）間において、突起（７）を貫通穴（８）に側壁部（６ａ）の裏面側より嵌め込むことにより、複数の剛性ユニット（６）が連設され、スライドガイド枠部（５）を形成することができる。
【０００９】
さらに剛性ユニット（６）には、ストッパー機構として、架橋部（６ｂ）の前端縁部の表面及び後端縁部の裏面を切り欠き、段差を設けたり、若しくは、側壁部（６ａ）に小突起（９）を外側に向けて突設し、この小突起（９）を受け入れる略三日月状の長穴（１０）を形成し、隣り合う剛性ユニット（６）間において、小突起（９）を長穴（１０）に差し入れたり、又はこれら両方を採用することもできる。
【００１０】
このような剛性ユニット（６）の連設により形成されたスライドガイド枠部（５）は、図２２に示したスクリーン装置におけるスライドガイド枠部（５）に比較して屈曲性ばかりでなく剛性を有し、また、スクリーン（２）を閉める際に、一方のスクリーン取付け枠部（１）から引き出されるスライドガイド枠部（５）が、ストッパー機構として設けられた前記段差の重合及び／又は小突起の長穴一端への接触により、剛性ユニット（６）の回動が規制され、直線性を保ちやすいという利点がある。
【００１１】
また、図２３及び図２４に示したスクリーン装置にも、図２１及び図２２に示したスクリーン装置と同様に、スクリーン取付け枠部（１）のスライド移動をその上端部においてガイドする上レール（３）を配設することができる。
【００１２】
【発明が解決しようとする課題】
しかしながら、以上の、この出願の出願人により提案、提供されているスクリーン装置については、より性能の向上を図り、汎用性の高いものとするためには、改善しなければならない課題が幾つか存在することが、その後の検討により明らかとされた。
【００１３】
その一つは、シーリングパネル（４）及びスライドガイド枠部（５）という、上レール（３）の内部に備えられ、スクリーン（２）の上端縁部以上の位置に配置される横架材に関してである。
【００１４】
シーリングパネル（４）は、前述の通り、その自重によりスクリーン（２）の上端縁部に当接するようにしているが、スクリーン（２）は、横引きに開閉されるため、シーリングパネル（４）は、上レール（３）の長手方向の全長若しくはほぼ全長に架設されることとなる。したがって、シーリングパネル（４）は、スクリーン（２）が開けられると、その開けられた部分の大きさによっては、シーリングパネル（４）に自重による撓みが発生し、上レール（３）から下方に露出し、見栄えの低下を招くばかりでなく、スクリーン取付け枠部（１）のスライド移動の邪魔となり、スクリーン（２）のスムーズな開閉操作を阻害することになる。撓みを防止するために、たとえば上レール（３）の下端縁部に、スクリーン取付け枠部（１）のスライド移動を阻害しない程度の支持部を内側に向けて突設し、シーリングパネル（４）の側部を支持することが行われてもいるが、支持部の形成は、上レール（３）の幅拡大につながり、上レール（３）の限られた取付けスペースという制約から、支持部によるシーリングパネル（４）の支持は十分となってはいない。
【００１５】
このため、シーリングパネル（４）は、風が吹くときなどの正圧により、支持部から外れ、上レール（３）から下方に落下し、また、負圧によって上レール（３）の内部で上方に浮き上がり、スクリーン（２）の上端縁部から外れ、本来の密閉性の向上を果たすことができないこともままある。
【００１６】
スライドガイド枠部（５）は、図２２に示したスクリーン装置では、屈曲性及び弾性を有するため、スクリーン（２）を閉めるにともないスクリーン取付け枠部（１）の内部から引き出される長さが長くなる。したがって、本来直線性が保持されるべき部位において上下に撓みが発生し、この撓みは、スクリーン取付け枠部（１）のスライド移動を邪魔し、スクリーン（２）のスムーズな開閉操作を阻害する。
【００１７】
また、このスライドガイド枠部（５）の場合にも、風が吹くときなどの正圧又は負圧により、上レール（３）の内部で上下に揺動し、所定位置からずれることがある。
【００１８】
図２３及び図２４に示したスクリーン装置では、前述の通り、スライドガイド枠部（５）は、図２２に示したスクリーン装置におけるスライドガイド枠部（５）よりも直線性を保ちやすいが、たとえば製品コストを低く抑えるために、剛性ユニット（６）を樹脂の一体成形物とすると、外部温度の変化にともなって寸法変化し、スライドガイド枠部（５）に変形が生じ、直線性を保持することができなくなる。その結果、スクリーン取付け枠部（１）のスライド移動及びスクリーン（２）のスムーズな開閉操作を阻害する。
【００１９】
以上の問題は、スクリーン装置が大型化、すなわち横幅寸法が長くなればなるほど顕在化され、その解決は急務とされる。
【００２０】
この出願の発明は、以上の通りの事情に鑑みてなされたものであり、スクリーンの上端縁部以上の位置に配設された横架材が、撓んだり、変形したりなどして直線性を保持できず、スクリーンのスムーズな開閉操作を阻害するのを防止することができ、また、風が吹いたときなどの正圧又は負圧により横架材が所定位置から位置ずれ、落下するなどを防止することもできるスクリーン装置を提供することを課題としている。
【００２１】
【課題を解決するための手段】
この出願の発明は、前述の課題を解決するものとして、横方向に対向配置され、少なくとも一方がスライド移動可能とされた一対のスクリーン取付け枠部間に、スクリーンが収縮及び展開自在とされて配設され、スクリーンの横引きの開閉が可能とされ、スクリーン取付け枠部のスライド移動をその上端部においてガイドする上レールを備えるとともに、上レール内部のスクリーン上端縁部以上の位置に横架材を備えたスクリーン装置において、上レールの下端部内側に向かって張り出し、横架材の一側部を支持可能とした支持部を有する片持ち梁が、スクリーン取付け枠部のスライド位置を挟んで上レールの両側部に配設され、この片持ち梁は、スクリーン取付け枠部のスライド移動により押しのけられることを特徴とするスクリーン装置（請求項１）を提供する。
【００２２】
この出願の発明は、請求項１に係る発明に関し、片持ち梁は、曲げ及びねじりに対して弾性回復性を有し、スクリーン取付け枠部のスライド移動にともない、曲げられ、ねじられ、スクリーンが開けられた状態においては初期状態に復帰すること（請求項２）を一態様として提供する。
【００２３】
この出願の発明は、請求項２に係る発明に関し、片持ち梁は、さらに、スクリーン取付け枠部がスライド移動する際のねじりを受けてねじられる起立部を有し、この起立部の下端に支持部が配設一体化されていること（請求項３）を一態様として提供する。
【００２４】
この出願の発明は、また、請求項１乃至３いずれかに係る発明に関し、片持ち梁は、支持部の張出し端部と反対側の位置に固定用の突起を有し、上レールの両側部に、その突起が収まり、片持ち梁を固定可能とする溝部が、上レールの長さ方向に形成されていること（請求項４）を一態様として提供する。
【００２５】
この出願の発明は、請求項４に係る発明に関し、片持ち梁が有する固定用の突起は、上レールに形成された溝部にその長手方向の端部より差込み可能とされ、かつスライド可能とされていること（請求項５）を一態様として提供する。
【００２６】
この出願の発明は、請求項５に係る発明に関し、複数の片持ち梁が、棒状とされた固定用の突起において所定間隔隔てて横方向に連結一体化されていること（請求項６）を一態様として提供する。
【００２７】
この出願の発明は、また、請求項４乃至６いずれかに係る発明に関し、片持ち梁は、固定用の突起の下部に座部を有すること（請求項７）を一態様として提供する。
【００２８】
さらにこの出願の発明は、請求項１に係る発明に関し、片持ち梁は、板状の支持部及び起立部を有し、起立部において上レール両側部の外側面に配設固定され、支持部は、起立部の下端に配設一体化され、上レールの下端部内側に向かって張り出し、スクリーン取付け枠部のスライド移動により上レールの外側に向かって押しのけられること（請求項８）を一態様として提供する。
【００２９】
この出願の発明は、請求項８に係る発明に関し、起立部の内側面上部に棒状の固定用の突起が設けられ、上レール両側部の外側面に、その突起が収まり、片持ち梁を固定可能とする溝部が、上レールの長さ方向に形成されていること（請求項９）を一態様として提供する。
【００３０】
この出願の発明は、請求項９に係る発明に関し、片持ち梁が有する固定用の突起は、上レールに形成された溝部にその長手方向の端部より差込み可能とされ、かつスライド可能とされていること（請求項１０）を一態様として提供する。
【００３１】
この出願の発明は、また、請求項９又は１０に係る発明に関し、複数の片持ち梁が、起立部上部において横方向に連設一体化され、固定用の突起が横長の連続体とされていること（請求項１１）を一態様として提供する。
【００３２】
そして、この出願の発明は、請求項８に係る発明に関し、起立部の内側面上部に粘着材が配設され、片持ち梁が、上レールの両側部外側面に貼着により配設固定されること（請求項１２）を一態様として提供する。
【００３３】
以下、図面に沿ってこの出願の発明のスクリーン装置についてさらに詳しく説明する。
【００３４】
【発明の実施の形態】
図１は、この出願の発明のスクリーン装置における上レール付近の一実施形態を示した縦断面図である。
【００３５】
この出願の発明のスクリーン装置は、前述の図２１〜図２３に示したこれまでに提案、提供しているスクリーン装置を踏襲している。
【００３６】
すなわち、この出願の発明のスクリーン装置には、図２１〜図２３に示したスクリーン装置と同様に、横方向に対向配置され、少なくとも一方がスライド移動可能とされた一対のスクリーン取付け枠部（１）（１）間に、スクリーン（２）が、プリーツ加工などにより収縮及び展開自在とされて配設され、スクリーン（２）の横引きの開閉が可能とされている。
【００３７】
また、この出願の発明のスクリーン装置には、スクリーン取付け枠部（１）のスライド移動をその上端部においてガイドする上レール（３）を備えるとともに、図１に示したように、上レール（３）の内部において、スクリーン（２）の上端縁部以上の位置に横架材（１１）を備えている。この横架材（１１）は、図２１に示したスクリーン装置では、シーリングパネル（４）であり、図２２及び図２３に示したスクリーン装置では、スライドガイド枠部（５）に相当する。
【００３８】
そして、この出願の発明のスクリーン装置では、上レール（３）の下端部内側に向かって張り出し、横架材（１１）の一側部を支持可能とした支持部（１２ａ）を有する片持ち梁（１２）が、図２１〜図２３に示したスクリーン取付け枠部（１）のスライド位置を挟んで上レール（３）の両側部（３ａ）（３ａ）に配設されている。
【００３９】
片持ち梁（１２）は、たとえば小片状とすることができ、図２の上レール（３）付近の裏面図に示したように、上レール（３）に所定間隔隔てて複数並設することができる。配設部位は、上レール（３）の全長にわたって、又は横架材（１１）に撓み、変形などが発生しやすい一部のみとすることができる。また、図１及び図２に示したように、片持ち梁（１２）は、上レール（３）の両側部（３ａ）（３ａ）に対向配置することもできる。
【００４０】
片持ち梁（１２）の支持部（１２ａ）は、図１に示したような水平状に限られることはなく、図３に示したように、その張出し端部を上方に折り曲げることもできる。この折曲げ部（１３）により、横架材（１１）の一側部は、支持部（１２ａ）よりもやや上方位置に支持され、横架材（１１）をより見えにくくし、また、横架材（１１）が、図２３及び図２４に示したような剛性ユニット（６）の連設により形成されたスライドガイド枠部（５）の場合、左右のぶれを抑えることができ、支持部（１２ａ）からのスライドガイド枠部（５）の脱線を防止するのに有効となる。横架材（１１）が、図２１に示したシーリングパネル（４）の場合には、図１に示したような水平状の支持部（１２ａ）であっても、その一側部の支持は十分可能である。
【００４１】
上レール（３）の両側部（３ａ）（３ａ）への片持ち梁（１２）の取付け高さは、支持部（１２ａ）が上レール（３）の下端部内側に向かって突出する限り特に制限はなく、図１及び図３に示したような側部（３ａ）の最下端をはじめ、図４に示したように、側部（３ａ）の最下端よりやや上方位置とすることもできる。図４に示したような片持ち梁（１２）の取付けの場合には、上レール（３）の両側部（３ａ）（３ａ）の下縁が片持ち梁（１２）の支持部（１２ａ）よりも下方に位置するため、横架材（１１）ばかりでなく、片持ち梁（１２）自体も見えにくくなり、外観体裁がより向上する。
【００４２】
また、片持ち梁（１２）については、横架材（１１）の種類に応じたものを採用することができる。
【００４３】
たとえば、横架材（１１）が、図２２に示したスクリーン装置における屈曲性及び弾性を有するスライドガイド枠部（５）である場合、スライドガイド枠部（５）に生じやすい撓みは、前述の通り、上下両方向であるため、図５に示したように、片持ち梁（１２）は、スライドガイド枠部（５）の一側部を挟み込んで支持することができるように、スライドガイド枠部（５）の上下への撓み具合を考慮し、所定間隔隔てて上下に２つ並設することができる。上下に並設される２つの片持ち梁（１２）（１２）は、同一構成のものを採用することができる他、図５に示したように、片持ち梁（１２）の取付けが容易となるように、上側の片持ち梁（１２）については、起立部（１２ｂ）を設け、その下端に支持部（１２ａ）を配設一体化したものを採用することもできる。
【００４４】
このように所定間隔隔てて上下に２つの片持ち梁（１２）を並設することにより、スライドガイド枠部（５）の下方への撓みは、下側の片持ち梁（１２）の支持部（１２ａ）により阻止され、また、上方への撓みは、上側の片持ち梁（１２）の支持部（１２ａ）により阻止される。そして、風が吹くときなどの正圧又は負圧によりスライドガイド枠部（５）が上レール（３）の内部で上下に揺動するのも、上側及び下側の片持ち梁（１２）（１２）の支持部（１２ａ）（１２ａ）により防止される。
【００４５】
このような所定間隔隔てて上下に２つ並設した片持ち梁（１２）による横架材（１１）の挟込み支持は、図２１に示したスクリーン装置におけるシーリングパネル（４）にも有効となる。すなわち、風が吹くときの負圧によりシーリングパネル（４）が、上レール（３）の内部で浮き上がり、スクリーン（２）の上端縁部から外れるのが、上側の片持ち梁（１２）の支持部（１２ａ）により防止される。
【００４６】
また、横架材（１１）が、図２３及び図２４に示したスクリーン装置における剛性ユニット（６）の連設により形成されるスライドガイド枠部（５）の場合には、図６に示したような断面略Ｌ字型の片持ち梁（１２）とすることができる。すなわち、図５に示した上側の片持ち梁（１２）と同様に、起立部（１２ｂ）を設け、その下端に支持部（１２ａ）を配設一体化した片持ち梁（１２）とすることができる。
【００４７】
前述の通り、剛性ユニット（６）の連設により形成されるスライドガイド枠部（５）の一側部を支持する場合には、支持部（１２ａ）の張出し端部に上方に折り曲がった折曲げ部（１３）を設けることが好ましい。それと言うのも、折曲げ部（１３）により、剛性ユニット（６）の連設により形成されたスライドガイド枠部（５）の左右のぶれを抑えることができ、スライドガイド枠部（５）の支持部（１２ａ）からの脱線を防止することができるからである。もちろん、図６に示した断面Ｌ字型の片持ち梁（１２）は、図２１に示したスクリーン装置におけるシーリングパネル（４）の支持にも用い得る。
【００４８】
たとえば以上に例示される片持ち梁（１２）は、図７に示したように、スクリーン取付け枠部（１）のスライド移動により押しのけられ、そのスライド移動及びスクリーン（２）の開閉を邪魔しない。このような押しのけを可能とするために、片持ち梁（１２）は、曲げ及びねじりに対して弾性回復性を有する材質から形成されるのが好ましい。この場合、スクリーン取付け枠部（１）が、上端部において上レール（３）によりガイドされてスライド移動するとき、片持ち梁（１２）の支持部（１２ａ）に接触すると、支持部（１２ａ）は、図８に示したように、図８図中の矢印Ａ方向の曲げ応力を受け、これにより発生する矢印Ｍ方向のねじりモーメントにより曲がり、ねじられて押しのけられ、スクリーン取付け枠部（１）のスライド移動及びスクリーン（２）の開閉を邪魔しない。そして、片持ち梁（１２）は、上記曲げ及びねじりに対する弾性回復性を有することから、スクリーン（２）が開けられた状態においては初期状態に復帰し、折れ曲がったままとはならず、また、破断することもない。
【００４９】
より好ましくは、スクリーン取付け枠部（１）がスライド移動する際のねじりは、図５及び図６に示した片持ち梁（１２）の起立部（１２ｂ）で受けるようにする。このように、ねじりを、水平状の支持部（１２ａ）よりは起立部（１２ｂ）で受けるようにすると、片持ち梁（１２）の折曲りや破断などをより効果的に防止することができる。
【００５０】
片持ち梁（１２）の配設部位は、前述の通り、上レール（３）の全長にわたって、又は横架材（１１）に撓み、変形などが発生しやすい一部のみにとすることができるが、上レール（３）への取付けは、たとえば以下の通りの構造を採用することができる。
【００５１】
すなわち、図１、及び図３〜図７に示したように、片持ち梁（１２）には、支持部（１２ａ）の張出し端部と反対側の位置に固定用の突起（１４）を備え、一方、上レール（３）の両側部（３ａ）（３ａ）には、その突起（１４）が収まり、片持ち梁（１２）を固定可能とする溝部（１５）を、上レール（３）の長さ方向に形成することができる。上レール（３）への片持ち梁（１２）の取付けは、突起（１４）を弾性材により形成し、弾性変形により溝部（１５）に嵌入させて所定位置に固定したり、突起（１４）を溝部（１５）にその長手方向の端部より差込み可能、かつスライド可能として、所定位置に固定したりするなどが可能である。図２に示したように、片持ち梁（１２）を上レール（３）に所定間隔隔てて複数並設する場合には、片持ち梁（１２）間にスペーサーを介在させるのが好ましい。このスペーサーには、片持ち梁（１２）に備えることのできる突起（１４）と同様な構成を採用することができる。
【００５２】
より簡便に片持ち梁（１２）を所定間隔隔てて複数並設するには、図９に示したように、複数の片持ち梁（１２）を棒状に形成した突起（１４）において所定間隔隔てて横方向に連結一体化することができる。この複数の片持ち梁（１２）の所定間隔隔てた突起（１４）における横方向の連結一体化により、スペーサーを介在させる手間を省くことができ、片持ち梁（１２）の上レール（３）への取付けが容易となる。図９には、起立部（１２ｂ）を有する片持ち梁（１２）が例示されているが、上記の通りの複数の片持ち梁（１２）の横方向の連結一体化は、図１、及び図３〜図５に示した起立部（１２ｂ）を持たない片持ち梁（１２）にも等しく採用することができる。
【００５３】
さらに片持ち梁（１２）は、図１０に示したように、固定用の突起（１４）の下部に座部（１６）を備えることができる。片持ち梁（１２）は、突起（１４）と溝部（１５）との接触面における摩擦力により固定されるが、さらに座部（１６）を設けることにより、座部（１６）が、図１０に示したように、溝部（１５）を形成する上レール（３）の側部（３ａ）に下方より接触することとなり、この接触面においても摩擦力が得られ、片持ち梁（１２）の固定はより強固となる。
【００５４】
なお、座部（１６）は、片持ち梁（１２）に個別に設けられることができ、図９に示した複数の片持ち梁（１２）の所定間隔隔てての横方向の連結一体化の場合にも、各片持ち梁（１２）ごとに設けることができる。より強固な固定が必要とされる場合には、座部（１６）は、片持ち梁（１２）ごとの個別とはせず、複数の片持ち梁（１２）を連結一体化する突起（１４）の下部にその全長にわたって設けることができる。
【００５５】
図１１は、この出願の発明のスクリーン装置の一実施形態を示した縦断面図である。
【００５６】
この図１１に示したスクリーン装置は、図２１に示したスクリーン装置に対応するものであり、上レール（３）の内部において自重によりスクリーン（２）の上端縁部に当接するシーリングパネル（４）の両側部は、片持ち梁（３）の、上レール（３）の下端部内側に向かって張出す支持部（３ａ）により支持可能となっている。したがって、スクリーン（２）が開けられ、開けられた部分の大きさにともないシーリングパネル（４）に自重による撓みが発生しても、その撓んだ箇所は片持ち梁（３）の支持部（３ａ）により確実に支持されるため、シーリングパネル（４）は、上レール（３）から下方に露出したり、風が吹くときなどの正圧により落下したりすることもなく、見栄えは良好に保持される。そして、シーリングパネル（４）に生ずる撓み箇所がスクリーン取付け枠部（１）のスライド移動の邪魔となることはなく、スクリーン（２）のスムーズな開閉操作が実現される。
【００５７】
図１２は、この出願のスクリーン装置の一実施形態を示した縦断面図である。
【００５８】
この図１２に示したスクリーン装置は、図２２に示したスクリーン装置に対応するものであり、上レール（３）の内部においてスクリーン（２）の上端縁部上方に設けられた、屈曲性とともに弾性を有するスライドガイド枠部（５）は、その両側部が、図５に示したように、所定間隔隔てて上下に並設された２つの片持ち梁（１２）（１２）における上レール（３）の下端部内側に向かって張り出す支持部（１２ａ）（１２ａ）により挟み込まれ、支持可能となっている。したがって、スクリーン（２）を閉めるにともなって一方のスクリーン取付け枠部（１）の内部から引き出されるスライドガイド枠部（５）の長さが長くなるにしたがい、本来直線性が保持されるべき部位においてスライドガイド枠部（５）に上下に撓みが発生しても、スライドガイド枠部（５）の下方への撓みは、下側の片持ち梁（１２）の支持部（１２ａ）により阻止され、また、上方への撓みは、上側の片持ち梁（１２）の支持部（１２ａ）により阻止される。このため、上枠（３）の内部におけるスライドガイド枠部（５）の直線性は、たとえ風が吹くときなどの正圧又は負圧を受けても保持され、所定位置からずれることはなく、スクリーン取付け枠部（１）がスライド移動するのを邪魔せず、スクリーン（２）のスムーズな開閉操作が実現される。
【００５９】
図１３は、この出願の発明のスクリーン装置の一実施形態を示した縦断面図である。
【００６０】
この図１３に示したスクリーン装置は、図２３及び図２４に示したスクリーン装置に対応するものであり、上レール（３）の内部においてスクリーン（２）の上端縁部上方に設けられた、剛性ユニット（６）の連設により形成されたスライドガイド枠部（５）は、その両側部が、図６に示したように、起立部（１２ｂ）を有する断面略Ｌ字型の片持ち梁（１２）における上レール（３）の下端部内側に向かって張出す支持部（１２ａ）により支持可能となっている。また、支持部（１２ａ）の張出し端部に設けられた上方に折り曲がった折曲げ部（１３）により、スライドガイド枠部（５）の左右のぶれを抑えることができるようになっている。このため、たとえば製品コストを低く抑えるために、剛性ユニット（６）を樹脂の一体成形物とした場合、外部温度の変化にともなって寸法変化し、スライドガイド枠部（５）に変形が生じ、直線性を保持することができなくなっても、直線性が崩れる部位の両側部を片持ち梁（１２）の支持部（１２ａ）が支持することができ、撓むことはない。したがって、スライドガイド枠部（５）がスクリーン取付け枠部（１）のスライド移動の邪魔となることはなく、スクリーン（２）のスムーズな開閉操作が実現される。
【００６１】
なお、以上の実施形態では、片持ち梁（１２）が、上レール（３）の両側部（３ａ）（３ａ）の下端縁部若しくは内側面に配設固定されることが例示されているが、この出願の発明のスクリーン装置は、特にこれに制限されることはなく、上レール（３）の構造などに応じ、片持ち梁（１２）の配設部位は、上レール（３）の両側部（３ａ）（３ａ）の外側面とすることも可能である。
【００６２】
たとえば図１４に示したように、上レール（３）が、円筒状、角筒状などの筒部（３ｂ）を備え、その下端部に沿わせてスクリーン取付け枠部（１）のスライド移動をガイドする場合には、上レール（３）の構造上、片持ち梁（１２）を上レール（３）の両側部（３ａ）の内側面に配設固定することは不可能となる。したがって、上レール（３）がそのような筒部（３ｂ）を備える場合には、片持ち梁（１２）は、図１４に示したように、両側部（３ａ）（３ａ）の外側面に配設することができ、また、この場合、起立部（１２ｂ）を備えることにより、支持部（１２ａ）を上レール（３）の下端部内側に向かって張り出させることができる。
【００６３】
このように、片持ち梁（１２）の上レール（３）への配設部位は、上レール（３）の両側部（３ａ）（３ａ）である限り、下端縁部、内側面、又は外側面のいずれであってもよく、特に特定されない。
【００６４】
また、図１１〜図１３に示したように、この出願の発明のスクリーン装置は、上レール（３）に対向して下レール（１７）を備えることもできる。この下レール（１７）は、たとえば床面（１８）、サッシュ下枠部などに配設することができ、スクリーン取付け枠部（１）の下端部や、スクリーン（２）の下端縁部若しくはその下方に配置されるスライドガイド枠部（５）の移動をガイドする。下レール（１７）の構成は、各スクリーン装置において必要とされる機能に応じ、適当とされるものを採用することができる。
【００６５】
さらに、この出願の発明のスクリーン装置では、筒部（３ｂ）を持たない上レール（３）の場合にも、すなわち、図１及び図３〜図６などに示した一般的な上レール（１）の場合にも、片持ち梁（１２）を上レール（３）の両側部（３ａ）（３ａ）の外側面に配設固定することができる。この場合の片持ち梁（１２）は、図１５及び図１６に示したような片持ち梁（１２）とすることができる。
【００６６】
これら図１５及び図１６に示した片持ち梁（１２）は、支持部（１２ａ）及び起立部（１２ｂ）がともに板状とされ、起立部（１２ｂ）において上レール（３）の両側部（３ａ）の外側面に配設固定されている。支持部（１２ａ）は、前述の片持ち梁（１２）と同様に、起立部（１２ｂ）の下端に配設一体化され、上レール（３）の下端部内側に向かって張り出している。
【００６７】
一方、この片持ち梁（１２）では、図１５に示したように、片持ち梁（１２）は、前述の片持ち梁（１２）と相違し、スクリーン取付け枠部（１）のスライド移動により上レール（３）の外側に向かって押しのけられるようになっている。これは、支持部（１２ａ）及び起立部（１２ｂ）が板状となっており、ねじりにくくなっているからである。しかし、支持部（１２ａ）及び起立部（１２ｂ）を板状とすると、前述の小片状とした片持ち梁（１２）に比べ、支持部（１２ａ）における横架材（１１）の支持面積が増加することから、上レール（３）に配設する個数を減らすことが可能となり、施工容易となるという利点を有する。
【００６８】
その一方で、片持ち梁（１２）は、その全体が変形しにくくなるため、上レール（３）の外側に向かっての変形を容易とするために、上レール（３）の両側部（３ａ）の外側面への固定位置を起立部（１２ｂ）の上部としている。また、図１６に示したように、板状の支持部（１２ａ）の両側辺部（１９）（１９）を、スクリーン取付け枠部（１）のスライド移動方向に傾斜させ、片持ち梁（１２）に変形をより容易に起こりやすくすることができる。この支持部（１２ａ）の両側辺部（１９）（１９）の傾斜は直線状とするばかりでなく、曲線状とすることもでき、このように傾斜する両側辺部（１９）（１９）は、スクリーン取付け枠部（１）のスムーズなスライド移動を実現する上でも有効となる。
【００６９】
以上の支持部（１２ａ）、起立部（１２ｂ）ともに板状とされた片持ち梁（１２）は、前述の片持ち梁（１２）と全く同様に機能し、上レール（３）の内部においてスクリーン（２）の上端縁部以上に位置する横架材（１１）、すなわちシーリングパネル（４）及びスライドガイド枠部（５）の一側部を支持可能である。また、図１５に示したように、支持部（１２ａ）の張出し端部には、上方に折り曲がった折曲げ部（１３）を備えることもできる。
【００７０】
さらに、上レール（３）の両側部（３ａ）（３ａ）の外側面への配設固定のために、固定用の突起（１４）を起立部（１２ｂ）の内側面上部に設けることができ、上レール（３）の両側部（３ａ）（３ａ）の外側面には、その突起（１４）が収まり、片持ち梁（１２）を固定可能とする溝部（１５）を、上レール（３）の長さ方向に形成することができる。この場合の突起（１４）の形状は、起立部（１２ｂ）が板状であることから、図１６に示したような棒状とすると、固定強度を十分確保する上で好ましい。
【００７１】
上レール（３）への片持ち梁（１２）の取付けは、前述の片持ち梁（１２）と同様に、突起（１４）を弾性材により形成し、弾性変形により溝部（１５）に嵌入させて所定位置に固定したり、突起（１４）を溝部（１５）にその長手方向の端部より差込み可能、かつスライド可能として、所定位置に固定したりするなどが可能である。
【００７２】
このような図１５及び図１６に示した片持ち梁（１２）の場合にも、より簡便に複数の片持ち梁（１２）を所定間隔隔てて並設することができるように、たとえば図１７に示したように、複数の片持ち梁（１２）をあらかじめ起立部（１２ｂ）の内側面上部において横方向に連設一体化し、これにともない固定用の突起（１４）を横長の連続体とすることができる。
【００７３】
また、板状の支持部（１２ａ）及び起立部（１２ｂ）を備え、スクリーン取付け枠部（１）のスライド移動にともなって上レール（３）の外側に向かって押しのけられる片持ち梁（１２）は、図１８に示したように、起立部（１２ｂ）の内側面上部に粘着材（２０）を配設し、片持ち梁（１２）を上レール（３）の両側部（３ａ）（３ａ）の外側面に貼着により配設固定することも可能である。この場合には、図１９及び図２０に示したように、上レール（３）の両側部（３ａ）（３ａ）に前述の溝部（１５）を形成する必要がなく、加工コストの低減を図ることができとともに、既製の、すなわち図２１〜図２４に示したスクリーン装置への片持ち梁（１２）の後付けも可能となる。
【００７４】
もちろん、この出願の発明は、以上の実施形態によって限定されるものではない。片持ち梁の大きさ、形状、材質などをはじめ、スクリーン装置の具体的な構成などの細部については様々な態様が可能であることは言うまでもない。
【００７５】
【発明の効果】
以上詳しく説明した通り、この出願の発明によって、スクリーンの上端縁部以上の位置に配設された横架材が、撓んだり、変形したりなどして直線性を保持できず、スクリーンのスムーズな開閉操作を阻害するのを防止することができ、また、風が吹いたときなどの正圧又は負圧により横架材が所定位置から位置ずれ、落下するなどを防止することもできる。スクリーン装置の性能が向上する。
【図面の簡単な説明】
【図１】この出願の発明のスクリーン装置における上レール付近の一実施形態を示した縦断面図である。
【図２】この出願の発明のスクリーン装置における上レール付近の一実施形態を示した裏面図である。
【図３】この出願の発明のスクリーン装置における上レール付近の一実施形態を示した縦断面図である。
【図４】この出願の発明のスクリーン装置における上レール付近の一実施形態を示した縦断面図である。
【図５】この出願の発明のスクリーン装置における上レール付近の一実施形態を示した縦断面図である。
【図６】この出願の発明のスクリーン装置における上レール付近の一実施形態を示した縦断面図である。
【図７】スクリーン取付け枠部がスライド移動する際の片持ち梁の動きを示した要部斜視図である。
【図８】片持ち梁の動きを示した裏面図である。
【図９】上レールへの片持ち梁の取付け構造の一実施形態を示した要部分解斜視図である。
【図１０】片持ち梁の一実施形態を示した縦断面図である。
【図１１】この出願の発明のスクリーン装置の一実施形態を示した縦断面図である。
【図１２】この出願の発明のスクリーン装置の一実施形態を示した縦断面図である。
【図１３】この出願の発明のスクリーン装置の一実施形態を示した縦断面図である。
【図１４】この出願の発明のスクリーン装置における上レール付近の一実施形態を示した縦断面図である。
【図１５】この出願の発明のスクリーン装置における上レール付近の一実施形態を示した縦断面図である。
【図１６】片持ち梁の一実施形態を示した斜視図である。
【図１７】片持ち梁の一実施形態を示した斜視図である。
【図１８】片持ち梁の一実施形態を示した斜視図である。
【図１９】この出願の発明のスクリーン装置における上レール付近の一実施形態を示した縦断面図である。
【図２０】図１８に示した片持ち梁の上レールへの取付け状態の概略を示した斜視図である。
【図２１】この出願の出願人により提案、提供されているスクリーン装置の一例を示した一部切欠側面図である。
【図２２】この出願の出願人により提案、提供されているスクリーン装置の一例を示した一部切欠側面図である。
【図２３】この出願の出願人により提案、提供されているスクリーン装置の一例を示した一部切欠側面図である。
【図２４】図２３に示したスクリーン装置の縦断面図である。
【符号の説明】
１    スクリーン取付け枠部
２    スクリーン
３    上レール
３ａ    側部
３ｂ    筒部
４    シーリングパネル
５    スライドガイド枠部
６    剛性ユニット
６ａ    側壁部
６ｂ    架橋部
７    突起
８    貫通穴
９    小突起
１０    長穴
１１    横架材
１２    片持ち梁
１２ａ    支持部
１２ｂ    起立部
１３    折曲げ部
１４    突起
１５    溝部
１６    座部
１７    下レール
１８    床面
１９    側辺部
２０    粘着材
【図１】
0004676076.tif 000002
【図２】
0004676076.tif 000003
【図３】
0004676076.tif 000004
【図４】
0004676076.tif 000005
【図５】
0004676076.tif 000006
【図６】
0004676076.tif 000007
【図７】
0004676076.tif 000008
【図８】
0004676076.tif 000009
【図９】
0004676076.tif 000010
【図１０】
0004676076.tif 000011
【図１１】
0004676076.tif 000012
【図１２】
0004676076.tif 000013
【図１３】
0004676076.tif 000014
【図１４】
0004676076.tif 000015
【図１５】
0004676076.tif 000016
【図１６】
0004676076.tif 000017
【図１７】
0004676076.tif 000018
【図１８】
0004676076.tif 000019
【図１９】
0004676076.tif 000020
【図２０】
0004676076.tif 000021
【図２１】
0004676076.tif 000022
【図２２】
0004676076.tif 000023
【図２３】
0004676076.tif 000024
【図２４】
0004676076.tif 000025